(57)【特許請求の範囲】
【請求項１】
筐体を形成する外筐と、
上記外筐内に収納される水槽と、
上記水槽内に収納される洗濯槽と
を備え、
上記外筐は、
上下両端に開口部を有する外槽と、
上記外槽における上記上端の開口部を閉鎖する上面板と、
上記外槽における上記下端の開口部を閉鎖する底台と
を含み、
上記底台は、
上記水槽,上記洗濯槽,上記上面板および上記外槽を支持する底台ベースと、
上記外槽と上記底台ベースとの間に配置される中間枠と
を含み、
上記中間枠は、
上縁が、上記外槽の下縁に嵌合可能になっており、
下縁が、上記底台ベースの上縁に嵌合可能になっており、
上記中間枠に嵌合された上記外槽の下縁は、上記中間枠の下縁に嵌合する上記底台ベースの上縁よりも前方に突出している
ことを特徴とする洗濯機。
【請求項２】
筐体を形成する外筐と、
上記外筐内に収納される水槽と、
上記水槽内に収納される洗濯槽と
を備え、
上記外筐は、
上下両端に開口部を有する外槽と、
上記外槽における上記上端の開口部を閉鎖する上面板と、
上記外槽における上記下端の開口部を閉鎖する底台と
を含み、
上記底台は、
上記水槽,上記洗濯槽,上記上面板および上記外槽を支持する底台ベースと、
上記外槽と上記底台ベースとの間に配置される中間枠と
を含み、
上記外槽及び前記中間枠は前記底台ベースよりも前方に突出していて、上記外槽が前記底台ベースよりも前方に突出していない場合に比して、上記水槽及び上記洗濯槽の外径が大きく設定されている
ことを特徴とする洗濯機。
【請求項３】
筐体を形成する外筐と、
上記外筐内に収納される水槽と、
上記水槽内に収納される洗濯槽と
を備え、
上記外筐は、
上下両端に開口部を有する外槽と、
上記外槽における上記上端の開口部を閉鎖する上面板と、
上記外槽における上記下端の開口部を閉鎖する底台と
を含み、
上記底台は、
上記水槽,上記洗濯槽,上記上面板および上記外槽を支持する底台ベースと、
上記外槽と上記底台ベースとの間に配置される中間枠と
を含み、
上記水槽は、弾性部材によって上記上面板につり下げられており、
上記中間枠の高さは、所定の洗濯容量に対応する場合に比して、上記水槽のつり下げ位置から上記底台ベースまでの距離を長くし、それによって上記水槽及び上記洗濯槽の長さを長くするよう、高く設定されている
ことを特徴とする洗濯機。
【請求項４】
筐体を形成する外筐と、
上記外筐内に収納される水槽と、
上記水槽内に収納される洗濯槽と
を備え、
上記外筐は、
上下両端に開口部を有する外槽と、
上記外槽における上記上端の開口部を閉鎖する上面板と、
上記外槽における上記下端の開口部を閉鎖する底台と
を含み、
上記底台は、
上記水槽,上記洗濯槽,上記上面板および上記外槽を支持する底台ベースと、
上記外槽と上記底台ベースとの間に配置される中間枠と
を含み、
上記中間枠は、後方に位置する辺に沿って、制御回路を載置する制御回路収納台を備え、
上記外槽の背面は後方に突出する背面突出部を備え、この背面突出部の下部に上記制御回路収納台に載置された上記制御回路が収納されており、
上記水槽は、上記外槽内部における上記制御回路よりも上部に配置されており、
上記水槽及び上記洗濯槽の外径は、上記外槽の背面が上記背面突出部を備えていない場合に比して、大きく設定されている
ことを特徴とする洗濯機。
【請求項５】
外槽の下端の開口部を閉鎖して洗濯機の外筐を形成する洗濯機の底台であって、
上記底台は、水槽,洗濯槽,および上記外槽を支持する底台ベースを含み、
上記底台ベースは、異なるサイズの外槽を支持可能であって、外槽のサイズに応じて、上記外槽を直接支持するか、又は、上記底台ベースに載置されたときに上記底台ベースよりも水平方向に突出するように上記底台ベースよりも大きく構成された中間枠を介して上記外槽を支持するようになっている
ことを特徴とする洗濯機の底台。
【発明の詳細な説明】
【技術分野】
【０００１】
この発明は、洗濯機に関する。
【背景技術】
【０００２】
従来、洗濯機として特開２００１‐３４７０９６号公報(特許文献１)に開示された電気洗濯機がある。
【０００３】
上記特許文献１に開示された電気洗濯機においては、断面が略コ字状に形成された外枠体の前面上部を連結板で連結し、下端縁を矩形のプラスチックベースに結合して、所定の形態に規制している。
【０００４】
しかしながら、上記特許文献１に開示された従来の電気洗濯機には、以下のような問題がある。すなわち、近年、洗濯機は大容量化が進んでおり、小は４ｋg程度から大は１０ｋg程度までｋg単位での洗濯容量で商品化されている。本来は、個々の洗濯容量別に洗濯槽の大きさ等を最適化するのが望ましい。その場合には、洗濯容量が変化するとそれに連れて洗濯槽および外枠体の大きさも変化する。したがって、上記従来の電気洗濯機のごとく、上記外枠体の下端縁を矩形のプラスチックベースに結合している場合には、上記外枠体の変化に合わせてプラスチックベースを作り替える必要が生じ、部品管理および製造コストに負担が掛かるという問題がある。
【０００５】
そこで、一般的には、例えば洗濯容量が４ｋg〜７ｋgを小型タイプとし、８ｋg〜１０ｋgを大型タイプとして大まかに２分類している。そして、上記タイプ毎に洗濯槽および外枠体の大きさを固定し、水量や洗濯方式等を最適化することによって、上記各タイプ内での洗濯容量の変化に対処するようにしている。この場合には、上記プラスチックベースも上記タイプ毎に大きさを設定すればよく、部品管理および製造コストの負担を軽減することができる。
【０００６】
ところが、上記洗濯槽および外枠体を共通にして洗濯容量の変化に対応すると、僅かではあるが、洗濯容量は少ないのに上記洗濯槽が大きかったり、洗濯容量は多いのに上記洗濯槽が小さくて毛布等の出し入れがし難かったりするという問題がある。
【先行技術文献】
【特許文献】
【０００７】
【特許文献１】特開２００１‐３４７０９６号公報
【発明の概要】
【発明が解決しようとする課題】
【０００８】
そこで、この発明の課題は、洗濯容量に応じた大きさの洗濯槽が使用可能であり、且つ部品管理および製造コストの負担を軽減できる洗濯機を提供することにある。
【課題を解決するための手段】
【０００９】
上記課題を解決するため、この発明の洗濯機は、
筐体を形成する外筐と、
上記外筐内に収納される水槽と、
上記水槽内に収納される洗濯槽と
を備え、
上記外筐は、
上下両端に開口部を有する外槽と、
上記外槽における上記上端の開口部を閉鎖する上面板と、
上記外槽における上記下端の開口部を閉鎖する底台と
を含み、
上記底台は、
上記水槽,上記洗濯槽,上記上面板および上記外槽を支持する底台ベースと、
上記外槽と上記底台ベースとの間に配置される中間枠と
を含む
ことを特徴としている。
【００１０】
また、一実施の形態の洗濯機では、
上記中間枠は、
上縁が、上記外槽の下縁に嵌合可能になっており、
下縁が、上記底台ベースの上縁に嵌合可能になっている。
【００１１】
また、一実施の形態の洗濯機では、
上記中間枠は、上記底台ベースよりも大きく構成されている。
【発明の効果】
【００１２】
以上より明らかなように、この発明の洗濯機は、上記外槽における上記下端の開口部を閉鎖する底台を、底台ベースと、上記外槽と上記底台ベースとの間に配置される中間枠とを含んで、構成している。したがって、上記外槽のサイズや形状の変更に合わせて上記中間枠を変更することによって、上記底台ベースのサイズや形状を変更することなく、上記中間枠の変更のみで、上記外槽の変更に容易に且つ安価に対処することが可能になる。
【００１３】
上記底台ベースは、サイズが大きく、その形状も複雑であり、型枠の開発に時間とコストが掛かる。
【００１４】
すなわち、この発明によれば、洗濯容量に応じた大きさの洗濯槽が使用可能であり、且つ部品管理および製造コストの負担を軽減できるのである。
【図面の簡単な説明】
【００１５】
【図１】この発明の洗濯機の一例である縦型洗濯乾燥機における断面図である。
【図２】図１に示す縦型洗濯乾燥機における外郭部の分解断面図である。
【図３】図２における分解斜視図である。
【図４】図３における底台の拡大図である。
【図５】図１とは異なる縦型洗濯乾燥機における外郭部の断面図である。
【図６】図５における分解図である。
【図７】図６における分解斜視図である。
【図８】図７における底台の拡大図である。
【図９】図１および図５とは異なる縦型洗濯乾燥機における外郭部の断面図である。
【発明を実施するための形態】
【００１６】
以下、この発明を図示の実施の形態により詳細に説明する。
【００１７】
・第１実施の形態
図１は、本実施の形態の洗濯機における縦断面図である。本洗濯機１は縦型洗濯乾燥機であり、図１に示すように、上方に開口した開口部２aを有する外筐２と、この外筐２の内側に設けられ、開口部２aを介して洗濯物が出し入れされる縦型の洗濯槽３(脱水槽としても機能する槽)を備えている。
【００１８】
さらに、本縦型洗濯乾燥機１は、上記外筐２内に配置され、洗濯槽３を収納する水槽４と、開口部２aを開閉する蓋部５とを備えている。蓋部５は、ヒンジ機構によって、上下に回動可能なように外筐２に取り付けられており、回動によって開口部２aを開閉する。洗濯槽３の上部開口の周縁には、洗濯物の脱水時に洗濯槽３を高速回転させた場合に振動を抑制するための環状のバランサ６を装着している。また、洗濯槽３内の底面には、撹拌翼(パルセータ)７が回転可能に取り付け配置されている。
【００１９】
さらに、上記外筐２内における水槽４の下側に、クラッチ・ブレーキ機構(図示せず)と駆動モータ(図示せず)とを有する駆動ユニット８を取り付けている。そして、この駆動ユニット８の回転軸８aには、上述した撹拌翼７および洗濯槽３が接続されている。
【００２０】
上記縦型洗濯乾燥機１は、蓋部５を開けて洗濯物の出し入れ等が可能である一方、蓋部５を閉じて内部を閉空間とすることが可能である。また、本縦型洗濯乾燥機１は、洗濯槽３内に供給された水を、撹拌翼７を用いて撹拌することによって洗濯動作を行う。これに対し、洗濯槽３内に温風を供給することによって乾燥動作を行う。
【００２１】
図２は、上記構成を有する縦型洗濯乾燥機１の大まかな分解断面図である。また、図３は、縦型洗濯乾燥機１の大まかな分解斜視図である。尚、図２および図３においては、洗濯槽３,水槽４,バランサ６,撹拌翼７および駆動ユニット８等を省略している。図２および図３に示すように、縦型洗濯乾燥機１は、大まかに、上面板９と外槽１０と底台１１とに分割可能になっている。
【００２２】
上記外筐２は、水槽４の周囲を囲む矩形断面を有すると共に、上下両端に開口部を有する筒状部２bと、この筒状部２bの上端開口部を塞ぐ閉塞部２cとを含んでいる。そして、上面板９は、この外筐２の閉塞部２cと蓋部５とを含んで構成されている。また、外槽１０は、外筐２の筒状部２bで構成されている。また、底台１１は、中間枠１２と底台ベース１３とで構成されている。
【００２３】
ここで、上記底台ベース１３は、洗濯機設置箇所の防水パン(図示せず)上に載置されると共に、中間枠１２を介して洗濯槽３,水槽４,上面板９および外槽１０等を支持する。したがって、中間枠１２の上縁は、外槽１０の下縁、つまり筒状部２bの下縁に嵌合するようになっている。一方、中間枠１２の下縁は、底台ベース１３の上縁に嵌合するようになっている。そして、中間枠１２は、外槽１０、つまり筒状部２bの形状やサイズに合わせて変更可能になっている。
【００２４】
このような構成によって、上記外槽１０の形状やサイズに応じて中間枠１２を変更することによって、一つの底台ベース１３に固定して所望の洗濯容量に応じた洗濯槽３が使用可能になる。
【００２５】
本実施の形態においては、洗濯容量を大まかに次のように３分類している。
（Ａ）タイプＡ：小型(洗濯容量が４ｋg〜６ｋg)
（Ｂ）タイプＢ：中型(洗濯容量が７ｋg〜９ｋg)
（Ｃ）タイプＣ：大型(洗濯容量が８ｋg〜１０ｋg)
【００２６】
上記タイプＡでは、図９に示すように、上記中間枠１２は用いずに、底台ベース１３上に直接外槽１０を搭載する。したがって、外槽１０(筒状部２b)の下縁は、底台ベース１３の上縁と同じ形状を有している。そして、上記タイプＡ内での洗濯容量の変化には、水量や洗濯方式等を最適化することによって対処する。
【００２７】
上記タイプＢ,Ｃでは、以下に詳述するように、上記底台ベース１３上に、中間枠１２を介して外槽１０を搭載する。したがって、中間枠１２の上縁は外槽１０(筒状部２b)の下縁に嵌合可能になっており、中間枠１２の下縁は底台ベース１３の上縁に嵌合可能になっている。そして、上記タイプＢ内または上記タイプＣ内での洗濯容量の変化には、水量や洗濯方式等を最適化することによって対処する。その場合、中間枠１２は、最適化された水量の水槽４を収容する外槽１０の下縁と嵌合可能になっている。
【００２８】
ここで、上記水量とは洗濯槽３または水槽４の容積であり、洗濯槽３または水槽４の外径および長さが主要素である。また、上記洗濯方式とは、例えば撹拌翼(パルセータ)７の回転数等である。
【００２９】
以下、上記水槽４の外径および高さが変更される場合を例に、中間枠１２の機能について説明する。
【００３０】
図２および図３は、上記タイプＢに属する縦型洗濯乾燥機１における外筐２および底台１１の分解図である。また、図４は、図３に示す中間枠１２と底台ベース１３とで構成される底台１１の拡大図である。
【００３１】
図２および図４に示すように、上記中間枠１２は底台ベース１３に対して、中間枠１２における矩形を成す４辺１２a〜１２dに設けられたボス１４のねじ穴と、底台ベース１３の上縁における矩形を成す４辺１３a〜１３dに設けられたボス１５のねじ穴とを介して、ねじ等で締結することによって、取り付け固定される。また、外槽１０(筒状部２b)は、その下縁が中間枠１２の上縁の溝に挿入され、内側からビス留めされることによって、取り付け固定される。
【００３２】
また、図２および図４から分かるように、上記中間枠１２と底台ベース１３の上縁とのサイズを比較すると、矩形を成す４辺１２a〜１２d,１３a〜１３dのうち、前後に位置して互いに対向する２辺１２a,１２bと１３a,１３bとの長さは同じであるが、他の２辺は中間枠１２の２辺１２c,１２dの方が底台ベース１３の２辺１３c,１３dよりも長くなっている。つまり、図１および図２から分かるように、中間枠１２は底台ベース１３に対して前方にやや突出している。そのため、中間枠１２上に設置される外槽１０も、タイプＡ(図９参照)のごとく中間枠１２を用いない場合よりも前方に突出させることができ、その分だけ水槽４および洗濯槽３の外径を拡大させて洗濯容量の増大を図ることができる。
【００３３】
以上のごとく、本実施の形態においては、縦型洗濯乾燥機１の底台１１を、上記防水パン上に載置されて本縦型洗濯乾燥機１を支持する底台ベース１３と、下縁が底台ベース１３の上縁に嵌合する一方、上縁が外槽１０(筒状部２b)の下縁に嵌合する中間枠１２とで構成する。そして、中間枠１２のサイズを底台ベース１３の上縁のサイズよりも大きく設定することによって、一つの底台ベース１３に固定しつつ所望の洗濯容量に応じた洗濯槽３を使用可能にするのである。
【００３４】
したがって、本実施の形態によれば、洗濯容量を小型タイプＡ,中型のタイプＢおよび大型のタイプＣと換える毎に底台ベース１３を変更する必要がなく、洗濯容量に応じた大きさの洗濯槽３が使用可能であり、且つ部品管理および製造コストの負担を軽減できるのである。
【００３５】
上記底台ベース１３は、サイズが大きく、その形状も複雑であり、型枠の開発に時間とコストが掛かる。本実施の形態によれば上記洗濯容量を変更しても底台ベース１３を変更する必要が無いため、製造コストを軽減することができるのである。
【００３６】
尚、本実施の形態においては、上記中間枠１２を、ＰＰ(Polypropylene：ポリプロピレン)樹脂で構成している。しかしながら、この発明は、この材質に限定されるものではない。
【００３７】
・第２実施の形態
上記第１実施の形態においては、上記水槽４および洗濯槽３の外径を拡大させて洗濯容量の増大を図るようにしている。しかしながら、水槽４および洗濯槽３の長さを長く(高さを高く)して洗濯容量の増大を図ることも可能である。
【００３８】
本実施の形態においては、上記水槽４および洗濯槽３の長さを長くして洗濯容量の増大を図ることに関する。
【００３９】
上記水槽４は、脱水時の振動を吸収するために、弾性部材(図示せず)によって、外筐２の閉塞部２cにおける下面につり下げられている。そして、水槽４は、給水された水の重さで上記弾性部材が伸びることによって沈み込む。その際に、沈み込み量によっては駆動ユニット８が底台ベース１３内に入り込む場合がある。
【００４０】
そこで、そのような場合には、中間枠１２における矩形の４辺のサイズはそのままにして、高さを高くするのである。こうして、底台ベース１３における水槽４のつり下げ位置からの距離を長くすることによって、上述の弊害を除去することができる。
【００４１】
その結果、上記外槽１０を変えること無く、水槽４および洗濯槽３の長さを長くするだけで、洗濯容量の増大を図ることができる。
【００４２】
以上のごとく、本実施の形態においては、上記中間枠１２における矩形の４辺のサイズはそのままにして、高さを高くしている。したがって、中間枠１２における水平方向の面積を拡大することなく、水槽４および洗濯槽３を所望の洗濯容量に応じた容積に設定可能にすることができるのである。
【００４３】
・第３実施の形態
上記第１実施の形態においては上記水槽４および洗濯槽３の外径を拡大させて、また、上記第２実施の形態においては中間枠１２の高さを高くして、洗濯容量の増大を図るようにしている。しかしながら、中間枠１２の形状を変えて洗濯容量の大幅な増大を図ることも可能である。
【００４４】
本実施の形態においては、上記水槽４の形状を変えて洗濯容量の増大を図ることに関する。
【００４５】
図５〜図７は、上記タイプＣに属する縦型洗濯乾燥機１における縦断面および分解図である。また、図８は、図７に示す底台１１の拡大図である。
【００４６】
図５〜図７に示す縦型洗濯乾燥機１の基本構造は、図１〜図３に示す縦型洗濯乾燥機１と同じである。そこで、図５〜図８では、図１〜図４に示す縦型洗濯乾燥機１と同じ部材には同じ番号を付け、詳細な説明は省略する。尚、図５〜図８に示す縦型洗濯乾燥機１においても、底台１１は中間枠１２と底台ベース１３とで構成されている。
【００４７】
本縦型洗濯乾燥機１における中間枠１２は、図１〜図４に示す縦型洗濯乾燥機１の場合と同様に、底台ベース１３の上縁に対して前方にやや突出している。
【００４８】
このように、上記中間枠１２のサイズを底台ベース１３の上縁よりも大きくする場合には、中間枠１２を底台ベース１３よりも前方に突出するように形成することが望ましい。中間枠１２を底台ベース１３よりも前方に突出させて底台ベース１３に取り付け固定した場合には、図８から分かるように、ユーザから見て、底台ベース１３の前縁部が、突出している中間枠１２の前縁部の下に隠れて、中間枠１２と底台ベース１３との継ぎ目が見えず、見栄えが良い。さらに、設置床面近傍において底台ベース１３が突出しておらず、ユーザが突出した底台ベース１３に足を打って怪我をする等の恐れも無い。
【００４９】
それに加えて、上記中間枠１２の矩形を成す４辺のうちの後方に位置する辺１２bに、後方に向かって水平に延在して所定の奥行きを有すると共に、制御回路２２を収納するための制御回路収納台２１を設けている。ここで、制御回路２２とは、通信用および電源用の制御回路である。
【００５０】
これに対して、上記中間枠１２上に設置される外槽１０(筒状部２b)の背面には、中間枠１２の制御回路収納台２１の形状に合わせて、制御回路収納台２１の形状と略同じ断面形状を有する背面突出部２d(図５,図６参照)を設けている。
【００５１】
具体的には、上記筒状部２bの断面形状を、両側部が内側に折り曲げられた概略コ字状に成し、スリット状に開いている箇所を、制御回路収納台２１の形状と略同じ断面形状を有する断面コ字状の板で塞いで、裏面側に突出するように背面突出部２dを設ける。尚、上記第１,第２実施の形態においては、筒状部２bのスリット状に開いている箇所を、平板で塞いで、矩形断面を有する筒状部２bを形成している。
【００５２】
このように、上記外槽１０に背面突出部２dを設けることによって、中間枠１２の上縁に外槽１０の下縁を嵌合させた場合に、制御回路収納台２１上に載置された制御回路２２は、外槽１０の背面突出部２d内に収納される。
【００５３】
また、上記外槽１０の内部における制御回路２２よりも上部には、水槽４が配置されている。この場合、外槽１０の断面積は背面突出部２dの分だけ大きくなっており、制御回路２２よりも上部に位置する水槽４およびその中に収容される洗濯槽３の外径も大きくすることができる。したがって、図１〜図４に示す上記タイプＢに属する縦型洗濯乾燥機１の場合よりも洗濯容量を大きくすることができるのである。
【００５４】
以上のごとく、本実施の形態においては、上記中間枠１２における矩形の４辺のうちの後方に位置する辺１２bに、後方に向かって水平に延在して所定の奥行きを有する制御回路収納台２１を設けている。そして、外槽１０の背面には、制御回路収納台２１の形状と同じ断面形状を有する背面突出部２dを設けている。このように、外槽１０に背面突出部２dを設けることによって、外槽１０の内部における制御回路２２よりも上部に配置される水槽４および洗濯槽３の外径を大きくすることができる。
【００５５】
したがって、上記洗濯容量を飛躍的に増大することができ、洗濯容量を上記タイプＢから上記タイプＣに上げることが可能になる。
【００５６】
尚、上記各実施の形態においては、縦型洗濯乾燥機１を例に挙げて説明しているが、この発明はこれに限定されるものではなく、縦型洗濯機,ドラム式洗濯機およびドラム式洗濯乾燥機等にも適用可能である。
【００５７】
以下、この発明を纏めると、この発明の洗濯機は、
筐体を形成する外筐２と、
上記外筐２内に収納される水槽４と、
上記水槽４内に収納される洗濯槽３と
を備え、
上記外筐２は、
上下両端に開口部を有する外槽１０と、
上記外槽１０における上記上端の開口部を閉鎖する上面板９と、
上記外槽１０における上記下端の開口部を閉鎖する底台１１と
を含み、
上記底台１１は、
上記水槽４,上記洗濯槽３,上記上面板９および上記外槽１０を支持する底台ベース１３と、
上記外槽１０と上記底台ベース１３との間に配置される中間枠１２と
を含む
ことを特徴としている。
【００５８】
上記構成によれば、上記外槽１０における上記下端の開口部を閉鎖する底台１１を、底台ベース１３と、上記外槽１０と上記底台ベース１３との間に配置される中間枠１２とを含んで、構成している。したがって、上記外槽１０のサイズや形状の変更に合わせて上記中間枠１２を変更することにより、上記底台ベース１３のサイズや形状を変更することなく、上記中間枠１２の変更のみで、上記外槽１０の変更に容易に且つ安価に対処することが可能になる。
【００５９】
また、一実施の形態の洗濯機では、
上記中間枠１２は、
上縁が、上記外槽１０の下縁に嵌合可能になっており、
下縁が、上記底台ベース１３の上縁に嵌合可能になっている。
【００６０】
この実施の形態によれば、上記中間枠１２の上縁を上記外槽１０の下縁に嵌合させる一方、上記中間枠１２の下縁を上記底台ベース１３の上縁に嵌合させることによって、上記外槽１０のサイズや形状の変更に合わせて、容易に上記中間枠１２を変更することができる。
【００６１】
また、一実施の形態の洗濯機では、
上記中間枠１２は、上記底台ベース１３よりも大きく構成されている。
【００６２】
この実施の形態によれば、上記中間枠１２の方が上記底台ベース１３よりも大きく構成されているので、上記外槽１０の容積拡大に容易に対処可能になる。さらに、上記底台ベース１３の縁部が上記中間枠１２の縁部の下に隠れて上記中間枠１２と上記底台ベース１３との継ぎ目が見えず、見栄えを良くすることができる。
【符号の説明】
【００６３】
１…縦型洗濯乾燥機(洗濯機)
２…外筐
２a…開口部
２b…筒状部
２c…閉塞部
２d…背面突出部
３…洗濯槽(脱水槽)
４…水槽
５…蓋部
６…バランサ
７…撹拌翼(パルセータ)
８…駆動ユニット
８a…回転軸
９…上面板
１０…外槽
１１…底台
１２…中間枠
１２a〜１２d…中間枠の辺
１３…底台ベース
１３a〜１３d…底台ベースの上縁の辺
１４,１５…ボス
２１…制御回路収納台
２２…制御回路
【図１】
0006463941.tif 000002
【図２】
0006463941.tif 000003
【図３】
0006463941.tif 000004
【図４】
0006463941.tif 000005
【図５】
0006463941.tif 000006
【図６】
0006463941.tif 000007
【図７】
0006463941.tif 000008
【図８】
0006463941.tif 000009
【図９】
0006463941.tif 000010